(57)【要約】【課題】  手のひら面に滑り止め加工を施したものでありながら、屈曲性が良く、滑り止め効果が大きく、しかも製造が容易な作業用手袋を提供する。【解決手段】  作業用手袋１の手のひら面の表面に合成樹脂材の滑り止めが付着形成されており、手のひらの屈曲する部分には上記平面状滑り止めを付着形成させない線状の折り曲げ部が設けられており、該折り曲げ部は幾何学的な模様、器物の図案化模様又は文字の図案化模様に形成され、上記滑り止めの表面に凹凸模様が形成されている。指先と第１間節の間、第１関節と第２関節との間との間に相当する箇所であって、先端パターン２ａと矩形状パターン２ｂの境界部分３ａおよび、矩形状パターン２ｃ〜２ｆ同士の境界部分３ｃ、3ｅには、手袋の指表面の全幅にわたって、合成樹脂材の滑り止めが付着されていない手袋生地の境界部分が設けられており、かつ、前記先端パターンと矩形状パターンの表面に凹凸模様が形成されている。【選択図】図１
0003151378.tif 000002
【実用新案登録請求の範囲】
【請求項１】
平たい手型を用いて作成された作業用手袋の手のひら面の表面であって、手袋生地に幾何学的な模様、器物の図案化模様又は文字の図案化模様となる線状の折り曲げ部以外の部分に対して合成樹脂材の滑り止めが付着形成された作業用手袋において、
前記すべり止めとして、親指を除く他の４指の腹部分表面に、指先端部の先端パターンおよび、当該手袋の指の長さの１／７以下の短辺を有し指の関節数よりも多い矩形状パターンが付着形成され、
指先と第１間節の間、第１関節と第２関節との間との間に相当する箇所であって、先端パターンと矩形状パターンの境界部分および、矩形状パターン同士の境界部分には、手袋の指表面の全幅にわたって、合成樹脂材の滑り止めが付着されていない手袋生地の境界部分が設けられており、かつ、前記先端パターンと矩形状パターンの表面に凹凸模様が形成されていることを特徴とする作業用手袋。
【請求項２】
請求項１の作業用手袋において、親指と小指を除く他の３指の第２関節と第３関節の腹部分表面に、指先端部の先端パターンおよび、当該手袋の指の長さの１／７以下の短辺を有し指の関節数よりも多い矩形状パターンが付着形成され、
手袋の指表面の全幅にわたって、矩形状パターン同士の境界部分には、合成樹脂材の滑り止めが付着されていない手袋生地の境界部分が設けられており、かつ、当該矩形状パターンの表面に凹凸模様が形成されていることを特徴とする作業用手袋。
【考案の詳細な説明】
【技術分野】
【０００１】
本考案は、滑り止めを施した作業用手袋に関するものである。
【背景技術】
【０００２】
従来から作業用手袋として、綿糸や合成繊維の糸で編んだ手袋（いわゆる軍手）に、ゴムや塩化ビニールで点粒状滑り止めを施した滑り止め手袋や、ゴムや塩化ビニールやポリウレタン等を全面または一部に塗布した手袋がある。
【０００３】
ゴムや塩化ビニールで点粒状滑り止めを施した滑り止め手袋は屈曲性が良く、はじめの内は滑り止め効果が高く作業性は良いが、ほこりが付くと滑り易くなる。また、ゴムや塩化ビニールやポリウレタン等を全面または一部に塗布した作業用手袋は屈曲性を良くする為立体的な手型で加工するが、この製法は立体的な手型に手袋を挿入するのに手間がかかり、高価な手袋になる。また、立体的でない平たい手型を用い、手袋の手のひら面に塩化ビニールやゴムを塗布した手袋は、作業に使用する時、屈曲性が悪いため曲がりにくく作業性が悪いと言った問題点がある。
【０００４】
立体的でない平たい手型を用いた手袋として、本願出願人による特許文献１に開示される手袋においては、点粒状滑り止めと平面模様状の滑り止めとを組み合わせて配置した手袋が開示されている。
【０００５】
また、同様に、点粒状滑り止めを有さずに平面模様状の滑り止めを有する手袋が特許文献２に開示されている。
【先行技術文献】
【特許文献】
【０００６】
【特許文献１】特開平１１−２５６４１１号公報
【特許文献２】特開平１１−３５０２１８号公報
【考案の概要】
【考案が解決しようとする課題】
【０００７】
特許文献１および特許文献２に開示された手袋は、指の関節において、人間の関節の数（すなわち３つ）とし、関節の無い部分については、平面模様状の滑り止めが位置しないようにしている。これは、平面模様状であると屈曲性が悪く曲がりにくいと言うことに対応するものである。しかしながら、着用する人の手の大きさによらないフリーサイズの手袋では、必ずしも、平面模様状の滑り止めが関節位置に位置付けられない状態が生じる。特許文献２においては、平面模様状の滑り止めの間隔が狭く、関節位置が平面模様状の滑り止めに位置すると違和感を覚えるものとなる。
【０００８】
また、特許文献１においては、平面模様状の滑り止めの間隔を離して配置し、その間に点粒状滑り止めを配することにより、滑り止め効果を発揮するように工夫されている。しかしながら、滑り止めパターンの統一性には欠けるものとなる。
【０００９】
本考案は、上記のような問題を解決するためになされたもので、手のひら面に滑り止め加工を施したものでありながら、屈曲性が良く、滑り止め効果が大きく、しかも製造が容易な作業用手袋を提供することを目的とする。
【課題を解決するための手段】
【００１０】
上記目的を達成するために、本考案の作業用手袋においては、平たい手型を用いて作成された作業用手袋の手のひら面の表面であって、手袋生地に幾何学的な模様、器物の図案化模様又は文字の図案化模様となる線状の折り曲げ部以外の部分に対して合成樹脂材の滑り止めが付着形成された作業用手袋において、前記すべり止めとして、親指を除く他の４指の腹部分表面に、指先端部の先端パターンおよび、当該手袋の指の長さの１／７以下の短辺を有し指の関節数よりも多い矩形状パターンが付着形成され、指先と第１間節の間、第１関節と第２関節との間との間に相当する箇所であって、先端パターンと矩形状パターンの境界部分および、矩形状パターン同士の境界部分には、手袋の指表面の全幅にわたって、合成樹脂材の滑り止めが付着されていない手袋生地の境界部分が設けられており、かつ、前記先端パターンと矩形状パターンの表面に凹凸模様が形成されている。
【考案の効果】
【００１１】
この発明の作業用手袋は上記のように構成されているので、指先と第１間節の間、第１関節と第２関節との間において、指を曲げた際に矩形状パターンが関節位置からずれていた場合には、矩形状パターン同士或いは先端パターンとの間で境界部分が折りたたみ状となり、曲がりにくさを感じなくさせる。
【図面の簡単な説明】
【００１２】
【図１】本考案に係る作業用手袋の正面図である。
【図２】他の平面状滑り止めが施された作業用手袋の正面図である。
【図３】他の平面状滑り止めが施された作業用手袋の正面図である。
【図４】作業用手袋の手のひら面に施された平面状滑り止めに凹凸加工をする説明図で、Ａは凹凸加工前の平面状滑り止めの断面図、Ｂは凹凸加工後の平面状滑り止めの断面図である。
【考案を実施するための形態】
【００１３】
図１において、作業用手袋１は、例えば、一般に軍手と呼ばれるもので、平たい手型を用いて作成されており、綿糸または合成繊維の糸を用いて、１５ゲージ編みした作業用手袋である。指の腹部分の手袋表面には、平面状矩形状パターン２が、例えば塩化ビニール樹脂材などの合成樹脂材を用いて平面状に付着形成されている。
【００１４】
手袋の一本の指に着目すると、本実施例による平面状の矩形状パターン２は矩形状に形成される点は、特許文献１や２と同様である。本実施例における手袋においては、親指、小指を除く３指について、第１関節Ｘから第３関節Ｚにかけての指の腹の部分に対して、関節の数よりも多い領域の平面状の矩形状パターン２ｂ〜２ｆが配置されている点で相違している。また、指先と第１関節Ｘとの間に存在する先端パターン２ａの大きさについても相違する。
【００１５】
矩形状パターン２ｂ〜２ｆは、当該指の関節の数よりも多い５以上設けられており、指の関節部に矩形状パターン２ｂ〜２ｆが位置付けられないようにはしているが厳密なものではない。指の関節の間には少なくとも1つ以上の箇所が、矩形状パターンの境界部分となっている。図１において、人指し指について着目すると、指先から第１間節Ｘに相当する部分には、先端パターン２ａと矩形状パターン２ｂが、第１関節Ｘと第２関節Ｙの間には矩形状パターン２ｃと２ｄが、第２関節Ｙと第３関節Ｚの間には矩形状パターン２ｅと２ｆとが位置している。そして、指先と第１間節Ｘの間、第１関節Ｘと第２関節Ｙとの間、第２関節Ｙと第３関節Ｚとの間において、矩形状パターン２ｂ〜２ｆ（或いは先端パターン２ａ）の境界部分となる３ａ、３ｃおよび３ｅの箇所は、手袋の指表面の全幅にわたって、矩形状の矩形状パターンが付着されていない手袋生地の部分となっている。なお、境界部分３ｂ、３ｄは、関節に相当する位置に位置付けられているが、着用する人に個人差があるので厳密ではない。一方、境界部分となる３ａ、３ｃおよび３ｅの箇所は、個人差の影響は受けない。また、矩形状パターン２ｂ〜２ｆを５つ以上としたのは、指先と第１間節Ｘの間で1つ、第１関節Ｘと第２関節Ｙとの間で２つ、第２関節Ｙと第３関節Ｚの間で２つとしたからである。
【００１６】
矩形状パターン２ｂ〜２ｆは、平たい手型を用いて作成された手袋の一方の面の指の幅に略全範囲の長辺を持ち、短辺は手袋の一本の指の長さＬの１／７或いはこれよりも短い長さに設定されている。先端パターン２ａは、他の矩形状パターンとは違い大きなパターンであるが、矩形状パターン２ｂ及び境界部分３ａに相当する長さだけ、指先から第１間節Ｘに相当する部分よりも短く設定される。
【００１７】
境界部分となる３ａ、３ｃおよび３ｅが設けられることにより、境界部分３ｂ、３ｄの部分が関節位置に適合していなくても指を折り曲げた際に、手袋の生地の伸縮性により矩形状パターンが関節位置から外れて、関節の間に設けられた少なくとも１つの境界部分が干渉領域となり、矩形状パターンの存在しない境界部分が関節の曲がる位置に位置付けられる。例えば、第１関節Ｘ部分においては、矩形状パターン２ｂが関節位置からずれていた場合には、矩形状パターン２ｂと先端パターン２ａとの間で境界部分３ａが折りたたみ状となる。他の箇所も同様に作用することで、曲がりにくさを感じなくさせる。また、矩形状パターン２ｂ〜２ｆは長い矩形としているので、指を曲げた際にも滑り止めのとしての機能は、指の全体に存在することになり、ホールド感を損なうこともない。
【００１８】
小指については、指先から第１関節Ｘの間、第１関節Ｘから第２関節Ｙの間に、矩形状パターンの境界部分となる箇所が少なくとも1つ以上設けられており（図１においては、１箇所）、この構成においては、親指を除く他の３指と同様である。なお、作業用手袋においては、小指の付け根の部分は他の指より奥まっているため、手袋内において余裕があり、第２関節Ｙから第３関節Ｚの間の矩形状パターンは必ずしも他の指と同様に配置しなくても違和感はさほど感じない。このため、小指については、この箇所については異なるものとなっている。
【００１９】
矩形状パターンの境界部分は、関節の間に２箇所以上設けても良いが、矩形の短辺が短くなり逆にホールド性が低くなる。本実施例においては、矩形状パターンの短辺を６〜４ｍｍとし、境界部分を３〜２ｍｍとした。
【００２０】
矩形状パターンは、指の長さ方向に分割することも可能であるが、力がかかる指の腹の部分に矩形状パターンが欠落することになり好ましくない。
【００２１】
掌の個所のパターンの配置は、特許文献１や２のように、指関節などの手のひらの屈曲する部分にはパターンの存在しない生地のみの線状折り曲げ部とする。そして、この線状の折り曲げ部は、視覚を通じて美観を起こさせるような模様にするのが望ましいが、指の矩形パターンと同様に角部を持ったパターンとして全体に模様の統一性を持たせる。
【００２２】
指および掌の手袋表面に施す滑り止めパターンの図案としては、幾何学的な模様、器物の図案化模様、文字の図案化模様などを施す。例えば図２及び図３などの模様も考えられる。平面状滑り止めには凹凸加工が施されている。
【００２３】
製造方法について説明する。１５ゲージの手袋編み機を用いて１４０デニールナイロンを２本引きそろえで編成された作業用手袋１を、厚さ２ｍｍ〜３ｍｍの手型に挿入する。作業用手袋１の手のひら面に平面状滑り止め２をスクリーン印刷の方法で塩化ビニールゾルを印刷する（図４Ａ参照）。スクリーン印刷による製造方法は図案化が容易であり、幾何学的な図案等が容易に加工できる。 
【００２４】
次に凹凸加工を施す。即ち、平面状滑り止め２をスクリーン印刷した後、２００℃から２６０℃の温度で１０分から１５分過熱し、印刷された塩化ビニールをゲル化させ、塩化ビニールが２００℃以上の熱を保持している状態のとき、凹凸版４をプレスし、冷却しながら凹凸模様をつける（図４Ｂ参照）。この凹凸加工は金型の形状により幾何学的な模様等が考えられる。
【００２５】
実施例においては、平たい手型で平面状滑り止め加工、金型による凹凸加工の２回の加工が１つの手型に装着したままで連続して出来る為、製作上簡単であり、安価に製造できる。手の関節に合わせた滑り止めの模様を印刷しているので使用中に抵抗感がなく、さらに凹凸模様をつけてあるので滑り止め効果が向上する。
【符号の説明】
【００２６】
１  作業用手袋
２  平面状滑り止め
３  折り曲げ部
４  凹凸版
【図１】
0003151378.tif 000003
【図２】
0003151378.tif 000004
【図３】
0003151378.tif 000005
【図４】
0003151378.tif 000006